(57)【特許請求の範囲】
【請求項１】
不動側のフィルタチャンバのフィルタ取付枠と移動可能なフィルタ積載台車とで複数個のエアフィルタを挟持して当該エアフィルタを前記フィルタチャンバの所定位置に取り付けるエアフィルタ取付装置であって、前記フィルタ積載台車は、エアフィルタを積重する底板と、当該エアフィルタの背面および側面に当接して支持する背板および側板を有する枠体状部材からなり、前記フィルタ積載台車は、前記フィルタチャンバの天井側に水平面に沿って移動及び／又は回動可能に懸垂され、前記フィルタ取付枠は前記枠体状部材の前面から張り出して取り付けられているエアフィルタの前面が当接する当接面を形成するものからなり、前記フィルタ積載台車の背板および前記フィルタ取付枠の当接面には前記エアフィルタの通風面とほぼ等しい面積の開口部が形成され、前記フィルタ積載台車とフィルタチャンバ間には該フィルタ積載台車を前記フィルタ取付枠側に押圧保持する締結手段が介設されることを特徴とするエアフィルタ取付装置。
【請求項２】
前記フィルタ積載台車は、キャスタにより移動可能に支持されるものである請求項１に記載のエアフィルタ取付装置。
【請求項３】
前記締結手段が、前記フィルタチャンバ側に固定されるハンドル掛金と、前記フィルタ積載台車側に回動可能に支持される締結用ハンドルからなり、該締結用ハンドルには、回動時に前記ハンドル掛金に圧接してフィルタ積載台車をフィルタ取付枠側に押圧する膨出部が形成されるものである請求項１に記載のエアフィルタ取付装置。
【発明の詳細な説明】
【０００１】
【発明の属する技術分野】
本発明は、火力発電設備や建屋空調設備などに使用される空気清浄装置のエアフィルタを簡単に装着し得るようにしたエアフィルタ取付装置に関する。
【０００２】
【従来の技術】
空気清浄装置に使われるエアフィルタの個数は空気清浄装置の処理風量の増加と共に多くなる。特に最近では処理空気の高清浄度が要求され、単一のフィルタの使用の替りにプレフィルタ，中性能フィルタ，高性能フィルタ等を組み合わせたものが使用される。そのため、設備当りのエアフィルタの全使用個数が数十個から数百個に及ぶことがある。一方、エアフィルタは一般に半年から１年位の周期で交換する必要があるため多数個のフィルタを交換するには多大の交換時間を必要とする。図３（ａ），（ｂ）は従来のエアフィルタの取付装置の概要を示すものである。即ち、不動側のフィルタチャンバのフィルタ取付枠７ａの平坦面にエアフィルタ１を当接させ、フィルタ取付枠７ａ側に一端を固定する締付けボルト２１を用いてエアフィルタ１の周縁に当接する締付座板２２を締め込んでエアフィルタ１を固定するものである。
【０００３】
図４は複数個のエアフィルタを保持する公知技術の一例を示すものである。このものは実用新案登録第３００５６３５号（登録日平成６年１０月１９日）に開示される「積み重ね型エアフィルタ」である。図示のように、複数個（図示では９個）のエアフィルタ１が縦横に積重され、取付け枠２３と押え金具２４により保持されるものである。
【０００４】
【発明が解決しようとする課題】
図３に示した従来のエアフィルタ取付装置の場合は前記のようにエアフィルタ１を１個づつ締付けボルト２１によって締め付けるものであり、少なくとも図示のように１個のエアフィルタ１に対し４本の締付けボルトを必要とする。従って、締付け作業に極めて多くの時間を要する。また、比較的狭隘なフィルタチャンバ内においては締付けボルト２１の締結作業は極めてやり難く疲労度も高く作業効率が低下する問題点があった。一方、実用新案登録第３００５６３５号に示したエアフィルタ取付構造の場合には、複数個のエアフィルタ１を一体的に組み付けることは可能であるが、それぞれのエアフィルタ１にはパッキンが貼着され、隣接するエアフィルタ１同志がパッキン合わせにより重合されて積重されると共に、全体を取付け枠２３で保持するもので、エアフィルタ１の取付構造としては複雑である。また、このものは図示の状態にした後にダクトの導風路の中にそのまま設置するもので、本発明のようにフィルタ取付枠にエアフィルタを装着してフィルタチャンバ側に固定する方式のものとは構成，目的が共に異なるものである。
【０００５】
エアフィルタの取付け時間を短縮するには、エアフィルタの使用個数を減らすことが考えられる。しかしながら、エアフィルタの使用個数は空気の全処理風量をエアフィルタの１個当りの定格風量で除した値で決まるため、使用個数を低減するにはエアフィルタの定格風量を大きくすることが必要になる。然し乍ら、定格風量を大きくするとエアフィルタの圧力損失値が増大し、空気清浄装置の吸込用ファンの能力の不足や吸込用ファンの容量アップ等の問題が発生し得策ではない。そこで本発明は、エアフィルタの取付け方法を改良してエアフィルタの装着，交換に要する時間の短縮化を図り、作業効率の向上とエアフィルタが使用される空気清浄装置の設備稼働率の向上を図る簡便構造のエアフィルタ取付装置を提供することを目的とする。
【０００６】
【課題を解決するための手段】
本発明は、以上の目的を達成するために、不動側のフィルタチャンバのフィルタ取付枠と移動可能なフィルタ積載台車とで複数個のエアフィルタを挟持して当該エアフィルタを前記フィルタチャンバの所定位置に取り付けるエアフィルタ取付装置であって、前記フィルタ積載台車は、エアフィルタを積重する底板と、当該エアフィルタの背面および側面に当接して支持する背板および側板を有する枠体状部材からなり、前記フィルタ積載台車は、前記フィルタチャンバの天井側に水平面に沿って移動及び／又は回動可能に懸垂され、前記フィルタ取付枠は前記枠体状部材の前面から張り出して取り付けられているエアフィルタの前面が当接する当接面を形成するものからなり、前記フィルタ積載台車の背板および前記フィルタ取付枠の当接面には前記エアフィルタの通風面とほぼ等しい面積の開口部が形成され、前記フィルタ積載台車とフィルタチャンバ間には該フィルタ積載台車を前記フィルタ取付枠側に押圧保持する締結手段が介設されてなるエアフィルタ取付装置を構成するものである。
更に具体的に、前記フィルタ積載台車は、キャスタにより移動可能に支持されるものであり、前記締結手段が、前記フィルタチャンバ側に固定されるハンドル掛金と、前記フィルタ積載台車側に回動可能に支持される締結用ハンドルからなり、該締結用ハンドルには、回動時に前記ハンドル掛金に圧接してフィルタ積載台車をフィルタ取付枠側に押圧する膨出部が形成されるものであることを夫々特徴とするものである。
【０００７】
複数個のエアフィルタはフィルタ積載台車の底板，背板および側板により安定状態で積重される。積重される高さが高い場合にフィルタ積載台車をフィルタチャンバの天井側に水平方向に沿って移動可能に懸垂支持することにより安定状態に保持される。キャスタ等により移動可能に形成されたフィルタ積載台車をフィルタチャンバのフィルタ取付枠側に押圧し、エアフィルタを両者で挟持し締結手段により固持することにより複数個のエアフィルタの全体が一度に簡単に取付け保持される。また、締結手段としてフィルタチャンバ側のハンドル掛金に締結用ハンドルの膨出部をハンドルの回動動作により圧接させるものを採用することによりエアフィルタはフィルタ取付枠とフィルタ積載台車間で簡単に挟持される。
【０００８】
【発明の実施の形態】
以下、本発明に係るエアフィルタ取付装置の実施の形態を図面を参照して詳述する。
図１（ｂ）に示すように、不動側のフィルタチャンバにはフィルタ取付枠７とハンドル掛金８，８ａが設けられている。フィルタ取付枠７は垂直方向に形成される平坦状の当接面９を有する板状部材からなり、エアフィルタ１の通風面に相当する面積の開口部１０が形成される。一方、ハンドル掛金８はフィルタチャンバの天井壁１１および底壁１２から垂直方向に突出する板状の突起片からなる。
【０００９】
図１（ａ），（ｂ）に示すように、フィルタ積載台車２は、底板３と、背板４および側板５，５で囲まれる枠体状部材からなる。エアフィルタ１は底板３上に順序積重され図示のように例えば３段積みに搭載される。また、夫々のエアフィルタ１は背板４と側板５，５に当接して保持され、前面側をフィルタ積載台車２からやや露出した形で搭載される。また、エアフィルタ１の露出している表面側には図略のガスケットが貼着される。また、背板４にはエアフィルタ１の通風面とほぼ同一面積の開口部６が形成される。なお、この開口部６とフィルタ取付枠７の開口部１０とは互いに相対向する位置に配置される。
【００１０】
フィルタ積載台車２の底板３にはキャスタ１３が取付けられ、底壁１２上にフィルタ積載台車２を移動可能に支持する。従って、フィルタ積載台車２はフィルタ取付枠７に近接又はこれから離隔する方向に移動可能になる。なお、図１に示すように、キャスタ１３は底壁１２側のハンドル掛金８ａと干渉しないようにハンドル掛金８ａを挟んで設けられている。
【００１１】
締結手段は各種形式のものがあるが、ここでは前記したハンドル掛金８，８ａとこれに圧接係合する締結用ハンドル１４からなる。締結用ハンドル１４はフィルタ積載台車２の背板４の上端および下端近傍に設けられ、背板４に固定される中心軸１５に枢支されるレバー状の回動体からなる。なお、該回動体の先端側には中心軸１５の軸線方向に沿って張り出す膨出部１６が一体的に形成される。即ち、締結用ハンドル１４は図１（ａ），（ｂ）に示した状態で膨出部１６がハンドル掛金８，８ａに圧接し、この位置から９０°回動した状態ではハンドル掛金８，８ａとの係合を解除するように形成される。
以上の説明において、フィルタ取付枠７の当接面９は平坦状としたが、これに限定されるものでなく当接面９を凸部とする構造であってもよい。
【００１２】
次に、以上の説明に係るエアフィルタ取付装置によるエアフィルタ１の取り付けおよび取り外し方法を説明する。まず、フィルタ積載台車２の底板３上にエアフィルタ１を搭載し、順次エアフィルタ１を積重する。それぞれのエアフィルタ１をフィルタ積載台車２の背板４と側板５，５に当接させる。この状態では前記したように各エアフィルタ１は前面のガスケット貼着側をフィルタ積載台車２からやや露出した状態で保持される。締結手段の締結用ハンドル１４を横倒し状態にし、手動等によりフィルタ積載台車２を押圧するとキャスタ１３により支持されたフィルタ積載台車２は円滑に移動しフィルタチャンバのフィルタ取付枠７側に進み、当接面９にエアフィルタ１が露出している前面が接触する。この状態で締結用ハンドル１４を約９０°回動すると締結用ハンドル１４の膨出部１６がハンドル掛金８，８ａに押圧されフィルタ積載台車２はフィルタ取付枠７側に押圧される。エアフィルタ１の前面にはガスケットが貼着されているためエアフィルタ１は当接面９に密接され、シールされる。以上により複数個のエアフィルタ１を簡単にフィルタ取付枠７に装着することができ、且つ各部のシール性も保持される。一方、エアフィルタ１を交換する場合は、前記と逆の手順により行えばよく、締結用ハンドル１４を弛めフィルタ積載台車２を後退させ、その内部からエアフィルタ１を取り出せばよい。
【００１３】
図２（ａ），（ｂ）はフィルタ積載台車２ａの上部側の連結構造が異なるエアフィルタ取付装置を示す。図中、図１（ａ），（ｂ）と同一符号のものは同一物又は同一機能の物を示し、重複説明を省略する。フィルタ積載台車２ａの上板１７上には吊り金具１８が固定される。一方、フィルタチャンバの天井壁１１にはフィルタ積載台車２ａの移動方向と直交する水平方向に沿って水平棒１９がバーサポート２０，２０を介して固定される。水平棒１９は吊り金具１８の中心孔を貫通して配置される。なお、このエアフィルタ取付装置の場合、締結手段が明示されていないが、前のものと同様又はそれ以外の締結手段が採用される。以上の構造により、フィルタ積載台車２ａは水平棒１９に案内されて水平方向に沿って移動可能となる。また、水平棒１９を基としてフィルタ積載台車２ａは回動することが可能となる。
【００１４】
フィルタ積載台車２ａが水平方向に移動可能に形成されることによりフィルタ積載台車２ａに搭載されているエアフィルタ１のフィルタ面とフィルタチャンバのフィルタ取付枠７の開口部１０との相対ずれの位置合わせ調整が容易にできる。また、フィルタ搭載台車２ａを水平棒１９に対して回動可能に支持することによりエアフィルタ１の着脱作業の迅速化および容易化が可能になる。図２（ａ），（ｂ）に示したエアフィルタ取付装置によっても前記のエアフィルタ取付装置と同等又はそれ以上の効果を上げることができる。また、フィルタ積載台車２ａは水平棒１９により上端側を支持されるため、エアフィルタ１の積重高さが高くなってもフィルタ積載台車２ａを安全保持することができる。
【００１５】
以上の説明において、フィルタ搭載台車２，２ａを移動するためにキャスタ１３を用いたが勿論これに限定するものではなく、公知の送り移動機構を採用してもよく、移動も自動，手動のいずれの構造でもよい。また、締結手段も前記のハンドル掛金８，８ａ，締結用ハンドル１４に限定するものではないがワンタッチ式のものが好ましい。
【００１６】
【発明の効果】
本発明によれば、次のような顕著な効果を奏する。
１）本発明はフィルタ積載台車を使用してエアフィルタの交換を行うため、大形のフィルタチャンバにおけるエアフィルタの交換作業が容易となり、交換時間が短縮され、交換作業効率が向上する。これにより、経費の節約、空気清浄装置の稼働率の向上が図れる。
２）キャスタ等のフィルタ積載台車を容易に移動させる移動手段を採用することにより、フィルタ積載台車の移動が、自由に、且つ円滑に行われる。また、フィルタチャンバのフィルタ取付枠との位置合わせが容易になる。
３）フィルタ積載台車を天井側から懸垂支持することにより、フィルタ積載台車を安定支持することができ、転倒等の心配もなく、安全作業を行うことができる。
４）構造簡単で安価に実施することができる。
【図面の簡単な説明】
【図１】本発明に係るエアフィルタ取付装置の実施の形態の正面図および側面図
【図２】上部を天井に懸垂支持されたフィルタ積載台車を有するエアフィルタ取付装置の正面図および側面図
【図３】従来のエアフィルタ取付装置の一例を示す正面図および側面図
【図４】従来の複数個のエアフィルタを保持するフィルタ保持構造の公知技術の一例を示す斜視図
【符号の説明】
１    エアフィルタ
２    フィルタ積載台車
２ａ  フィルタ積載台車
３    底板
４    背板
５    側板
６    開口部
７    フィルタ取付枠
８    ハンドル掛金
９    当接面
１０  開口部
１１  天井壁
１２  底壁
１３  キャスタ
１４  締結用ハンドル
１５  中心軸
１６  膨出部
１７  上板
１８  吊り金具
１９  水平棒
２０  バーサポート
【図１】
0003621765.tif 000002
【図２】
0003621765.tif 000003
【図３】
0003621765.tif 000004
【図４】
0003621765.tif 000005